(57)【要約】【課題】  モバイルアンケート調査のための方法およびシステムを提供する。【解決手段】  アンケート調査方法は、少なくとも１つの調査項目を含んだアンケートを登録する段階、アンケート参加メンバーを対象に前記アンケートを伝達し、前記アンケート参加メンバーから前記アンケートの回答を受信する段階、および前記アンケート参加メンバーのうちの少なくとも一部のメンバーを対象に、前記アンケートの回答状態と連係して前記アンケートと関連する後続コンテンツを提供する段階を含む。【選択図】図４
2019012511.tif 000002
【特許請求の範囲】
【請求項１】
コンピュータで実現されるアンケート調査方法であって、
少なくとも１つの調査項目を含んだアンケートを登録する段階、
アンケート参加メンバーを対象に前記アンケートを伝達し、前記アンケート参加メンバーから前記アンケートの回答を受信する段階、および
前記アンケート参加メンバーのうちの少なくとも一部のメンバーを対象に、前記アンケートの回答状態と連係して前記アンケートと関連する後続コンテンツを提供する段階
を含む、アンケート調査方法。
【請求項２】
前記登録する段階は、
アンケート主題別に前記調査項目が事前に定められたテンプレートを提供する段階、および
前記テンプレートのうちから選択されたテンプレートを利用して該当となる主題のアンケートを登録する段階
を含む、請求項１に記載のアンケート調査方法。
【請求項３】
前記登録する段階は、
前記アンケートの回答有無による少なくとも１つの状態に対して前記後続コンテンツを設定する段階
を含む、請求項１に記載のアンケート調査方法。
【請求項４】
前記登録する段階は、
前記調査項目に対する回答として選択可能な少なくとも１つの選択項目に対して前記後続コンテンツを設定する段階
を含む、請求項１に記載のアンケート調査方法。
【請求項５】
前記提供する段階は、
前記アンケート参加メンバーを回答状態に基づいてグルーピングし、少なくとも１つのグループに属したメンバーを対象に、前記回答状態に対応する後続コンテンツを提供すること
を特徴とする、請求項１に記載のアンケート調査方法。
【請求項６】
前記回答状態は、前記調査項目に対する回答有無と回答内容のうちの少なくとも１つを含むこと
を特徴とする、請求項５に記載のアンケート調査方法。
【請求項７】
前記提供する段階は、
前記アンケート参加メンバーを前記アンケートの回答有無に基づいて回答者と未回答者とに区分した後、前記未回答者に該当するメンバーを対象に、アンケート参加を督励するためのリマインド通知を提供すること
を特徴とする、請求項１に記載のアンケート調査方法。
【請求項８】
前記提供する段階は、
前記アンケート参加メンバーのうち、前記調査項目に対する回答として特定の選択項目を選択したメンバーを対象に、前記特定の選択項目と関連するコンテンツを提供すること
を特徴とする、請求項１に記載のアンケート調査方法。
【請求項９】
前記後続コンテンツは、前記アンケートと関連するコンテンツとして、追加アンケート、お知らせ情報、スケジュール情報、イベント情報、特典情報、およびサービスページ情報のうちの少なくとも１つを含むこと
を特徴とする、請求項１に記載のアンケート調査方法。
【請求項１０】
コンピュータと結合し、請求項１〜９項のうちのいずれか一項に記載のアンケート調査方法をコンピュータに実行させるためにコンピュータで読み取り可能な記録媒体に格納された、コンピュータプログラム。
【請求項１１】
請求項１〜９のうちのいずれか一項に記載のアンケート調査方法をコンピュータに実行させるためのプログラムが記録されていることを特徴とする、コンピュータで読み取り可能な記録媒体。
【請求項１２】
コンピュータで実現されるアンケート調査システムであって、
コンピュータで読み取り可能な命令を実行するように実現される少なくとも１つのプロセッサ
を含み、
前記少なくとも１つのプロセッサは、
少なくとも１つの調査項目を含んだアンケートを登録する登録部、
アンケート参加メンバーを対象に前記アンケートを伝達し、前記アンケート参加メンバーから前記アンケートの回答を受信することによってアンケート調査を実行する実行部、および
前記アンケート参加メンバーのうちの少なくとも一部のメンバーを対象に、前記アンケートの回答状態と連係して前記アンケートと関連する後続コンテンツを提供する提供部
を備える、アンケート調査システム。
【請求項１３】
前記登録部は、
アンケート主題別に前記の調査項目が事前に定められたテンプレートを提供し、前記テンプレートのうちから選択されたテンプレートを利用して該当となる主題のアンケートを登録すること
を特徴とする、請求項１２に記載のアンケート調査システム。
【請求項１４】
前記登録部は、
前記アンケートの回答有無による少なくとも１つの状態に対して前記後続コンテンツを設定すること
を特徴とする、請求項１２に記載のアンケート調査システム。
【請求項１５】
前記登録部は、
前記調査項目に対する回答として選択可能な少なくとも１つの選択項目に対して前記後続コンテンツを設定すること
を特徴とする、請求項１２に記載のアンケート調査システム。
【請求項１６】
前記提供部は、
前記アンケート参加メンバーを回答状態に基づいてグルーピングし、少なくとも１つのグループに属したメンバーを対象に、前記回答状態に対応する後続コンテンツを提供すること
を特徴とする、請求項１２に記載のアンケート調査システム。
【請求項１７】
前記回答状態は、前記の調査項目に対する回答有無と回答内容のうちの少なくとも１つを含むこと
を特徴とする、請求項１６に記載のアンケート調査システム。
【請求項１８】
前記提供部は、
前記アンケート参加メンバーを前記アンケートの回答有無に基づいて回答者と未回答者とに区分した後、前記未回答者に該当するメンバーを対象に、アンケート参加を督励するためのリマインド通知を提供すること
を特徴とする、請求項１２に記載のアンケート調査システム。
【請求項１９】
前記提供部は、
前記アンケート参加メンバーのうち、前記調査項目に対する回答として特定選択項目を選択したメンバーを対象に、前記特定選択項目と関連するコンテンツを提供すること
を特徴とする、請求項１２に記載のアンケート調査システム。
【発明の詳細な説明】
【技術分野】
【０００１】
以下の説明は、アンケート調査サービスを提供する技術に関する。
【背景技術】
【０００２】
アンケート調査を行うための一般的な方法として、不特定多数の人に電話をかけて調査する方法、直接対面してアンケート調査する方法、インターネットを利用してアンケート調査する方法などがある。
【０００３】
インターネットを利用したアンケート調査の一例として、特許文献１（公開日２００７年０５月０７日）には、アンケートに同意した会員の移動端末機にアンケートを送信して会員情報を遠距離サーバにある資料を使用できるようにし、アンケートの生成から報告書の出力までを単一サーバで可能にさせる技術が開示されている。
【先行技術文献】
【特許文献】
【０００４】
【特許文献１】韓国公開特許公報第１０−２００７−００４７３８７号
【発明の概要】
【発明が解決しようとする課題】
【０００５】
アンケート参加メンバーの回答状態確認および未回答者対象への督励機能を提供することができる、アンケート調査方法およびシステムを提供する。
【０００６】
アンケート参加メンバーの回答状態別に、各状態に対応する後続課業を進めることができる、アンケート調査方法およびシステムを提供する。
【課題を解決するための手段】
【０００７】
コンピュータで実現されるアンケート調査方法であって、少なくとも１つの調査項目を含んだアンケートを登録する段階、アンケート参加メンバーを対象に前記アンケートを伝達し、前記アンケート参加メンバーから前記アンケートの回答を受信する段階、および前記アンケート参加メンバーのうちの少なくとも一部のメンバーを対象に、前記アンケートの回答状態と連係して前記アンケートと関連する後続コンテンツを提供する段階を含む、アンケート調査方法を提供する。
【発明の効果】
【０００８】
本発明の実施形態によると、アンケート参加メンバーの回答状態を確認して回答者と未回答者とをフィルタリングすることができ、未回答者を対象に参加督励通知を提供することでアンケート回答率を高めることができる。
【０００９】
本発明の実施形態によると、アンケート参加メンバーの回答状態別に、各状態に対応する後続課業を進めることにより、アンケートと関連する一連の作業を連続的かつ容易に行うことができる。
【図面の簡単な説明】
【００１０】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、サーバのプロセッサが含むことのできる構成要素の例を示したブロック図である。
【図４】本発明の一実施形態における、サーバが実行することのできるアンケート調査方法の例を示したフローチャートである。
【図５】本発明の一実施形態における、アンケート登録過程を説明するための例を示した図である。
【図６】本発明の一実施形態における、アンケート登録過程を説明するための例を示した図である。
【図７】本発明の一実施形態における、アンケート伝達過程を説明するための例を示した図である。
【図８】本発明の一実施形態における、アンケート参加過程を説明するための例を示した図である。
【図９】本発明の一実施形態における、アンケート参加過程を説明するための例を示した図である。
【図１０】本発明の一実施形態における、アンケート参加過程を説明するための例を示した図である。
【図１１】本発明の一実施形態における、アンケート調査結果確認過程を説明するための例を示した図である。
【図１２】本発明の一実施形態における、アンケート調査結果確認過程を説明するための例を示した図である。
【図１３】本発明の一実施形態における、後続課業進行過程を説明するための例を示した図である。
【発明を実施するための形態】
【００１１】
＜発明の概要＞
一側面によると、前記登録する段階は、アンケート主題別に前記調査項目が事前に定められたテンプレートを提供する段階、および前記テンプレートのうちから選択されたテンプレートを利用して該当となる主題のアンケートを登録する段階を含んでよい。
【００１２】
他の側面によると、前記登録する段階は、前記アンケートの回答有無による少なくとも１つの状態に対して前記後続コンテンツを設定する段階を含んでよい。
【００１３】
また他の側面によると、前記登録する段階は、前記調査項目に対する回答として選択可能な少なくとも１つの選択項目に対して前記後続コンテンツを設定する段階を含んでよい。
【００１４】
また他の側面によると、前記提供する段階は、前記アンケート参加メンバーを回答状態に基づいてグルーピングし、少なくとも１つのグループに属するメンバーを対象に、前記回答状態に対応する後続コンテンツを提供してよい。
【００１５】
また他の側面によると、前記回答状態は、前記調査項目に対する回答有無と回答内容のうちの少なくとも１つを含んでよい。
【００１６】
また他の側面によると、前記提供する段階は、前記アンケート参加メンバーを前記アンケートの回答有無に基づいて回答者と未回答者とに区分した後、前記未回答者に該当するメンバーを対象に、アンケートへの参加を督励するためのリマインド通知を提供してよい。
【００１７】
また他の側面によると、前記提供する段階は、前記アンケート参加メンバーのうち、前記調査項目に対する回答として特定の選択項目を選択したメンバーを対象に、前記特定の選択項目と関連するコンテンツを提供してよい。
【００１８】
また他の側面によると、前記後続コンテンツは、前記アンケートと関連するコンテンツとして、追加アンケート、お知らせ情報、スケジュール情報、イベント情報、特典情報、およびサービスページ情報のうちの少なくとも１つを含んでよい。
【００１９】
コンピュータと結合し、前記アンケート調査方法をコンピュータに実行させるためにコンピュータで読み取り可能な記録媒体に格納されたコンピュータプログラムを提供する。
【００２０】
前記アンケート調査方法をコンピュータに実行させるためのプログラムが記録されていることを特徴とする、コンピュータで読み取り可能な記録媒体を提供する。
【００２１】
コンピュータで実現されるアンケート調査システムであって、コンピュータで読み取り可能な命令を実行するように実現される少なくとも１つのプロセッサを含み、前記少なくとも１つのプロセッサは、少なくとも１つの調査項目を含んだアンケートを登録する登録部、アンケート参加メンバーを対象に前記アンケートを伝達し、前記アンケート参加メンバーから前記アンケートの回答を受信することによってアンケート調査を実行する実行部、および前記アンケート参加メンバーのうちの少なくとも一部のメンバーを対象に、前記アンケートの回答状態と連係して前記アンケートと関連する後続コンテンツを提供する提供部を備える、アンケート調査システムを提供する。
【００２２】
＜発明の詳細＞
以下、本発明の実施形態について、添付の図面を参照しながら詳細に説明する。
【００２３】
本発明の実施形態は、モバイルアンケート調査に関し、より詳細には、アンケート参加メンバーの回答状態確認および回答状態別に後続課業を進めることができるアンケート調査方法およびシステムに関する。
【００２４】
本明細書で具体的に開示される事項などを含む実施形態は、アンケート参加メンバーの回答状態確認および回答状態別に後続課業を進めることができ、これによってアンケート回答率、効率性、容易性、便宜性、費用節減などの側面において相当な長所を達成する。
【００２５】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は発明の説明のための一例に過ぎず、電子機器の数やサーバの数が図１のように限定されることはない。
【００２６】
複数の電子機器１１０、１２０、１３０、１４０は、コンピュータ装置によって実現される固定端末や移動端末であってよい。複数の電子機器１１０、１２０、１３０、１４０の例としては、スマートフォン、携帯電話、タブレット、ナビゲーション、コンピュータ、ノート型パソコン、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）などがある。一例として、第１電子機器１１０は、無線または有線通信方式を利用し、ネットワーク１７０を介して他の電子機器１２０、１３０、１４０および／またはサーバ１５０、１６０と通信してよい。
【００２７】
通信方式が限定されることはなく、ネットワーク１７０が含むことのできる通信網（一例として、移動通信網、有線インターネット、無線インターネット、放送網）を活用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２８】
サーバ１５０、１６０それぞれは、電子機器１１０、１２０、１３０、１４０とネットワーク１７０を介して通信して命令、コード、ファイル、コンテンツ、サービスなどを提供する１つ以上のコンピュータ装置または複数のコンピュータ装置によって実現されてよい。一例として、サーバ１６０は、ネットワーク１７０を介して接続した第１電子機器１１０にアプリケーションのインストールのためのファイルを提供してよい。この場合、第１電子機器１１０は、サーバ１６０から提供されたファイルを利用してアプリケーションをインストールしてよい。また、第１電子機器１１０が含むオペレーティングシステム（Ｏｐｅｒａｔｉｎｇ  Ｓｙｓｔｅｍ：ＯＳ）や少なくとも１つのプログラム（一例として、ブラウザや前記インストールされたアプリケーション）の制御にしたがってサーバ１５０に接続し、サーバ１５０が提供するサービスやコンテンツの提供を受けてもよい。例えば、第１電子機器１１０がアプリケーションの制御にしたがってネットワーク１７０を介してサービス要求メッセージをサーバ１５０に送信すると、サーバ１５０はサービス要請メッセージに対応するコードを第１電子機器１１０に送信してよく、第１電子機器１１０はアプリケーションの制御にしたがってコードに基づいた画面を構成して表示することにより、ユーザにコンテンツを提供してよい。
【００２９】
図２は、本発明の一実施形態における、電子機器およびサーバの内部構成を説明するためのブロック図である。図２では、１つの電子機器に対する例として第１電子機器１１０の内部構成を、１つのサーバに対する例としてサーバ１５０の内部構成を説明する。他の電子機器１２０、１３０、１４０やサーバ１６０も、同一または類似の内部構成を有してもよい。
【００３０】
第１電子機器１１０とサーバ１５０は、メモリ２１１、２２１、プロセッサ２１２、２２２、通信モジュール２１３、２２３、および入力／出力インタフェース２１４、２２４を含んでよい。メモリ２１１、２２１は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記憶装置を含んでよい。また、メモリ２１１、２２１には、オペレーティングシステムと、少なくとも１つのプログラムコード（一例として、第１電気機器１１０にインストールされ駆動するアプリケーションなどのためのコード）が格納されてよい。このようなソフトウェア構成要素は、メモリ２１１、２２１とは別のコンピュータで読み取り可能な記録媒体からロードされてよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体を含んでよい。他の実施形態において、ソフトウェア構成要素は、コンピュータで読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配信するファイル配信システム（一例として、上述したサーバ１６０）がネットワーク１７０を介して提供するファイルによってインストールされるプログラム（一例として、上述したアプリケーション）に基づいてメモリ２１１、２２１にロードされてよい。
【００３１】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に格納されたプログラムコードにしたがって受信される命令を実行するように構成されてよい。
【００３２】
通信モジュール２１３、２２３は、ネットワーク１７０を介して第１電子機器１１０とサーバ１５０とが互いに通信するための機能を提供してもよいし、他の電子機器（一例として、電子機器２（１２０））または他のサーバ（一例として、サーバ１６０）と通信するための機能を提供してもよい。一例として、第１電子機器１１０のプロセッサ２１２がメモリ２１１のような記録装置に格納されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号や命令、コンテンツ、ファイルなどが、通信モジュール２２３とネットワーク１７０を経て第１電子機器１１０の通信モジュール２１３を通じて第１電子機器１１０に受信されてもよい。例えば、通信モジュール２１３を通じて受信されたサーバ１５０の制御信号や命令などは、プロセッサ２１２やメモリ２１１に伝達されてよく、コンテンツやファイルなどは、第１電子機器１１０がさらに含むことのできる格納媒体に格納されてよい。
【００３３】
入力／出力インタフェース２１４は、入力／出力装置２１５とのインタフェースのための手段であってよい。例えば、入力装置は、キーボードまたはマウスなどの装置を、出力装置は、アプリケーションの通信セッションを表示するためのディスプレイのような装置を含んでよい。他の例として、入力／出力インタフェース２１４は、タッチスクリーンのように入力と出力のための機能が１つに統合された装置とのインタフェースのための手段であってもよい。より具体的な例として、第１電子機器１１０のプロセッサ２１２は、メモリ２１１にロードされたコンピュータプログラムの命令を処理するにあたり、サーバ１５０や第２電子機器１２０が提供するデータを利用して構成されるサービス画面やコンテンツが入力／出力インタフェース２１４を通じてディスプレイに表示されてよい。入力／出力インタフェース２２４も同様に、サーバ１５０のプロセッサ２２２がメモリ２２１にロードされたコンピュータプログラムの命令を処理するにあたり、サーバ１５０が提供するデータを利用して構成される情報を出力してよい。
【００３４】
また、他の実施形態において、第１電子機器１１０およびサーバ１５０は、図２の構成要素よりも多くの構成要素を含んでもよい。しかし、大部分の従来技術的構成要素を明確に図に示す必要はない。例えば、第１電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、第１電子機器１１０がスマートフォンである場合、一般的にスマートフォンが含んでいる加速度センサやジャイロセンサ、カメラ、物理的な各種ボタン、タッチパネルを利用したボタン、入力／出力ポート、振動のための振動機などの多様な構成要素が第１電子機器１１０にさらに含まれるように実現されてもよいことが理解できるであろう。
【００３５】
以下では、アンケート調査サービスを提供する方法およびシステムの具体的な実施形態について説明する。
【００３６】
図３は、本発明の一実施形態における、サーバのプロセッサが含むことのできる構成要素の例を示したブロック図であり、図４は、本発明の一実施形態における、サーバが実行することのできる方法の例を示したフローチャートである。
【００３７】
本実施形態におけるサーバ１５０には、コンピュータで実現されたアンケート調査システムが構成されてよい。サーバ１５０は、クライアントである複数の電子機器１１０、１２０、１３０、１４０を対象にアンケート調査サービスを提供するものであって、電子機器１１０、１２０、１３０、１４０上にインストールされた専用アプリケーションやサーバ１５０と関連するウェブ／モバイルサイトへの接続によってアンケート調査サービスを提供してよい。さらに、サーバ１５０は、アンケート調査の種類や性格などに応じてスケジュールサービス、社内コミュニケーションサービス、ショッピングサービス、決済サービスなどと連動してアンケート調査サービスを提供してもよい。
【００３８】
サーバ１５０は、図４に係るアンケート調査方法を実行するため、サーバ１５０のプロセッサ２２２は、構成要素として、図３に示すように、登録部３１０、実行部３２０、および提供部３３０を備えてよい。実施形態によって、プロセッサ２２２の構成要素は、選択的にプロセッサ２２２に含まれてもよいし、プロセッサから除外されてもよい。また、実施形態によって、プロセッサ２２２の構成要素は、プロセッサ２２２の機能の表現のために分離されてもよいし併合されてもよい。
【００３９】
このようなプロセッサ２２２およびプロセッサ２２２の構成要素は、図４のアンケート調査方法が含む段階Ｓ４１０〜Ｓ４４０を実行するようにサーバ１５０を制御してよい。例えば、プロセッサ２２２およびプロセッサ２２２の構成要素は、メモリ２２１が含むオペレーティングシステムのコードと少なくとも１つのプログラムのコードによる命令を実行するように実現されてよい。
【００４０】
ここで、プロセッサ２２２の構成要素は、サーバ１５０に格納されたプログラムコードが提供する命令にしたがってプロセッサ２２２によって実行されるプロセッサ２２２の互いに異なる機能の表現であってよい。例えば、サーバ１５０がアンケートを登録するように上述した命令にしたがってサーバ１５０を制御するプロセッサ２２２の機能的表現として登録部３１０が利用されてよい。
【００４１】
段階Ｓ４１０で、プロセッサ２２２は、サーバ１５０の制御と関連する命令がロードされたメモリ２２１から必要な命令を読み取ってよい。この場合、前記読み取られた命令は、プロセッサ２２２が以下で説明される段階Ｓ４２０〜Ｓ４４０を実行するように制御するための命令を含んでよい。
【００４２】
段階Ｓ４２０で、登録部３１０は、アンケート作成のためのインタフェースを提供してよく、アンケート作成インタフェースでユーザが入力または選択した内容のアンケート、少なくとも１つの調査項目を含んだアンケートを登録してよい。登録部３１０は、調査項目別に質問内容と選択項目を作成するためのテンプレートを提供してよく、アンケート調査の種類や性格などに応じて事前に構成されたテンプレートを提供してよい。例えば、社内コミュニケーション環境におけるアンケート調査サービスの場合には、会議スケジュール調査、飲み会スケジュール調査、イベント参加調査、満足度調査、試案意見調査、休暇調査、サービス使用性調査、クイズ／テストなどのような多様な主題のアンケート調査テンプレートを事前に構成して提供してよい。アンケート作成インタフェースは、テンプレートの他にも、ユーザが直接に質問内容と選択項目を自由記載形態で作成することのできる入力インタフェースを提供することも可能である。また、登録部３１０は、アンケート登録時に、該当アンケートの回答権限を有するアンケート参加メンバーを共に設定してよい。登録部３１０は、アンケート作成インタフェースでサービス上に登録されたメンバーリストを提供してよく、メンバーリストに含まれた全体メンバーあるいはユーザがメンバーリストから選択した一部のメンバーを対象に回答権限を付与してよい。また、登録部３１０は、アンケートと関連し、参加メンバーを対象に提供しようとする後続コンテンツを登録してよい。後続コンテンツは、該当アンケートの回答有無による状態別に設定されてもよいし、回答内容、すなわち、アンケート回答として選択可能な選択項目別に設定されてもよい。ここで、後続コンテンツは、アンケートの回答有無による少なくとも１つの状態、アンケート回答として選択可能な少なくとも１つの選択項目に対してそれぞれ設定されてよい。上述した後続コンテンツは、アンケートと関連するコンテンツであって、追加アンケート、お知らせ情報、スケジュール情報、イベント情報、特典情報（例えば、クーポンなど）、サービスページ情報（例えば、購入リンクなど）などを含んでよいが、これらだけに限定されるものではなく、アンケートと関連する追加課業として連結することのできるコンテンツであればすべて適用可能である。
【００４３】
段階Ｓ４３０で、実行部３２０は、ユーザから登録されたアンケートをアンケート参加メンバーを対象に伝達し、アンケート参加メンバーからアンケートの回答を受信することにより、アンケート調査を実行してよい。実行部３２０は、アンケートを登録したユーザによって選択された送信媒体を通じてアンケート参加メンバーに該当のアンケートを伝達してよい。例えば、実行部３２０は、アンケートをメールで送信したり、メッセージ（ＳＭＳまたはＭＭＳ、メッセンジャ）で送信したりしてよく、サービス上に登録されたアカウントを利用してサービスホームに直ぐに送信することも可能である。このとき、実行部３２０は、アンケートをメッセージのような文書形態で送信してもよいし、アンケートページへの接続ＵＲＬなどで送信してもよい。
【００４４】
段階Ｓ４４０で、提供部３３０は、アンケート参加メンバーを対象にして実行されたアンケート調査結果を、該当のアンケートを登録したユーザに提供してよい。このとき、提供部３３０は、ユーザの設定にしたがい、回答者に該当するメンバーを対象にアンケート調査結果を公開し、ユーザと回答者との間でアンケート調査結果を共有することも可能である。特に、提供部３３０は、アンケート参加メンバーのうちの少なくとも一部のメンバーを対象に、アンケートの回答状態と連係してアンケートと関連する後続コンテンツを提供してよい。このとき、提供部３３０は、アンケート参加メンバーをアンケートに回答した回答者とアンケートに回答していない未回答者とに区分し、回答状態に対応する後続コンテンツを提供してよい。回答状態は、回答有無を意味するか、回答内容（すなわち、アンケート回答として選択可能な選択項目の内容）を意味してよい。一例として、提供部３３０は、アンケート参加メンバーの回答有無を確認して回答者と未回答者とをフィルタリングしてよく、未回答者に該当するメンバーを対象に、後続コンテンツとして参加督励のための通知を提供してよい。言い換えれば、提供部３３０は、アンケート参加を積極的に督励しながらアンケート回答率を高めるために、未回答者にリマインド通知メッセージを提供してよい。他の例として、提供部３３０は、アンケート参加メンバーのうちで回答者に該当するメンバーを回答内容に基づいてグルーピングした後、各グループ別に該当の回答内容に対応する後続コンテンツを提供してよい。例えば、提供部３３０は、アンケート回答として特定の選択項目に回答したメンバーを対象に、後続コンテンツとして後続アンケートを追加で進めたり、あるいは特定の選択項目と関連する一定の招待を進めたり、あるいは特定の選択項目と関連する商品の特典情報や購入リンクなどを提供したりしてよい。提供部３３０は、後続アンケートの場合、メタ情報を利用してメインアンケートとグルーピングして管理してよい。このとき、提供部３３０は、回答者に該当するメンバーをどのような回答をしたのかに応じてグルーピングし、各グループ別あるいは特定のグループのメンバーを対象にアンケートと関連する後続課業を進めてよい。回答有無や回答内容に基づいてグルーピングにされた一部グループの全体メンバーを対象に後続課業を進めることはもちろん、ユーザが後続課業の対象を任意に選択して後続課業を進めることも可能である。
【００４５】
図５〜図６は、本発明の一実施形態における、アンケート登録過程を説明するための例を示した図である。
【００４６】
図５は、アンケート作成のための初期画面５００を示した図である。
【００４７】
初期画面５００には、管理者などによって事前に登録されたテンプレートリスト５１０が含まれてよい。テンプレートリスト５１０には、アンケート調査の主題に基づいて構成された少なくとも１つのテンプレートが含まれてよい。例えば、社内コミュニケーションと関連するアンケート調査サービスの場合には、会議スケジュール調査、飲み会スケジュール調査、イベント参加調査、満足度調査、試案意見調査、休暇調査、サービス使用性調査、クイズ／テストなどのような各種主題のテンプレートを事前に構成して提供してよい。初期画面５００は、主題が定められたテンプレートの他にも、定められた主題なくユーザが調査項目を自由に構成することのできるテンプレートやその他の入力インタフェースなどがさらに含まれてよい。
【００４８】
図６は、アンケート作成画面６００を示した図である。
【００４９】
サーバ１５０は、ユーザが、例えば、図５の初期画面５００のテンプレートリスト５１０から特定のテンプレートを選択した場合、図６に示すように、該当のテンプレートが適用されたアンケート作成画面６００を提供する。それぞれのテンプレートは、該当の主題と関連する少なくとも１つの調査項目で構成されてよく、調査項目別に調査しようとする質問内容６０１と質問に対する回答として選択可能な選択項目（選択肢）６０２とで構成されてよい。調査項目は、選択項目６０２の他にも、敍述形態によって回答可能な入力項目で構成されるものも可能である。
【００５０】
アンケート作成画面６００において、質問内容６０１と選択項目６０２は、該当のアンケートの主題によってはデフォルト内容が満たされた状態で表示されるが、ユーザが望む領域を選択することで編集可能な形態で提供されてもよい。アンケート作成画面６００には、調査項目を追加するための追加インタフェース６０３と、調査項目別に選択項目に対する複数選択の許容を設定するための複数選択インタフェース６０４などが含まれてよい。
【００５１】
アンケート作成画面６００には、アンケート回答環境を設定するための回答設定インタフェース６０５が含まれてよく、サーバ１５０は、アンケート作成画面６００で回答設定インタフェース６０５が選択された場合、回答設定画面６１０を提供してよい。
【００５２】
回答設定画面６１０には、アンケート回答が可能な回答期間（開始日と終了日）を設定するための回答期間設定インタフェース６１１と、アンケートの回答権限を有するアンケート参加メンバーを設定するための権限設定インタフェース６１２と、回答結果（アンケート調査結果）を回答者に公開するように設定したり回答結果から回答者に関する情報と回答内容が確認できるように設定したりするための回答結果設定インタフェース６１３などが含まれてよい。権限設定インタフェース６１２は、サービス上に登録されたメンバー全体に回答権限を一括付与するための全体設定インタフェースと、ユーザによって選択された一部のメンバーに回答権限を付与するためのメンバー選択インタフェースなどで構成されてよい。ユーザは、メンバー選択インタフェースを利用してサービス上に登録された全体メンバーリストにアクセスしてよく、サーバ１５０は、名前やＩＤ、所属などの情報を利用してメンバーを検索するための検索環境を共に提供してよい。
【００５３】
具体的な図は省略したが、アンケート作成画面６００または回答設定画面６１０には、後続コンテンツと関連設定情報を事前登録するためのインタフェースがさらに含まれてよい。例えば、サーバ１５０は、未回答者を対象にした通知発送の有無を設定したり、回答者を対象にした回答結果（アンケート調査結果）発送の有無を設定したり、アンケートの選択項目別に該当の項目を選択した回答者に発送しようとするコンテンツを設定するためのインタフェース環境を提供したりしてよい。
【００５４】
したがって、ユーザは、多様な主題に対して事前に構成されたテンプレートを利用することにより、便利かつ容易にアンケートを登録して関連情報を設定することができる。
【００５５】
図７は、本発明の一実施形態におけるアンケート伝達過程を説明するための例を示した図である。
【００５６】
図７を参照すると、ユーザがアンケート作成画面６００を利用してアンケートを作成し、回答設定画面６１０を利用してアンケート回答環境を設定した後、アンケート送信インタフェース６１４を選択した場合、アンケート伝達方式を選択するための選択画面７１０が提供されてよい。このとき、選択画面７１０は、アンケート参加メンバーにユーザが登録したアンケートを伝達するための媒体や形態などに対する選択インタフェースで構成されてよく、例えば、メッセージ（ＳＭＳ、ＭＭＳ、メッセンジャ）送信、サービスホーム送信、メール送信、アンケートページＵＲＬ送信などが含まれてよい。
【００５７】
したがって、ユーザは、多様な送信方式を利用して自身が登録したアンケートをアンケート参加メンバーに伝達することができる。
【００５８】
図８〜図１０は、本発明の一実施形態における、アンケート参加過程を説明するための例を示した図である。
【００５９】
ユーザがアンケートをメッセージで送信した場合、サーバ１５０は、該当のメッセージングサービスを利用してユーザが送信したアンケートをアンケート参加メンバーに伝達してよく、アンケート参加メンバーは、図８に示すように、アンケート調査サービスアカウントあるいはユーザアカウントとのチャットルーム８００でユーザが送信したアンケート８１０を確認してよい。他の例として、ユーザがアンケートをサービスホームに送信した場合、サーバ１５０は、アンケート調査サービス上の個人アカウントページを通じてユーザが送信したアンケートをアンケート参加メンバーに伝達してよく、アンケート参加メンバーは、図９に示すように、個人アカウントページである受信アンケート画面９００でユーザが送信したアンケート９１０を確認してよい。
【００６０】
受信アンケート画面９００には、アンケート参加メンバーに回答権限が設定されたすべてのアンケートリストが含まれてよいが、このとき、アンケートリストは、受信した順序などのような所定の基準にしたがって整列されてよく、アンケート進行状態（例えば、進行中、終了など）にしたがって分類して照会する機能、アンケート期間、アンケート題目、アンケート内容、アンケート者などのような多様な条件に基づいて検索する機能などが共に提供されてよい。
【００６１】
アンケート参加メンバーが図８のチャットルーム８００を通じて受信アンケート８１０に対して「参加する」ボタン８０１を入力するか、図９の受信アンケート画面９００を通じて受信アンケート９１０に対して「参加する」ボタン９０１を入力した場合、図１０に示すように、アンケートの回答を入力するための回答画面１０００に移動してよい。アンケート参加メンバーは、回答画面１０００を通じてユーザが登録したアンケート内容、すなわち、質問内容１００１と選択項目１００２を確認した後、選択項目１００２のうちから特定の項目を選択することによってアンケート調査に参加してよい。
【００６２】
図１１〜図１２は、本発明の一実施形態における、アンケート調査結果確認過程を説明するための例を示した図である。
【００６３】
サーバ１５０は、アンケート調査サービスの個人アカウントページでユーザが送信したアンケートの回答結果（アンケート調査結果）を提供してよく、図１１に示すように、ユーザは、個人アカウントページである送信アンケート画面１１００から自身が登録して送信したアンケートとアンケート別の回答結果を確認してよい。
【００６４】
送信したアンケート画面１１００には、ユーザが登録したすべてのアンケートリスト１１１０が含まれてよいが、このとき、アンケートリスト１１１０は、送信した順序などのような所定の基準にしたがって整列されてよく、アンケート進行状態（例えば、開始前、進行中、終了など）にしたがって分類して照会する機能、アンケート期間、アンケート題目、アンケート内容、アンケート参加メンバーなどのような多様な条件に基づいて検索する機能などが共に提供されてよい。
【００６５】
送信アンケート画面１１００には、アンケートリスト１１１０に含まれたアンケートそれぞれに対し、該当のアンケートの回答結果を確認するための回答確認インタフェース１１１１が含まれてよい。サーバ１５０は、ユーザが図１１の送信アンケート画面１１００で特定のアンケートに対して回答確認インタフェース１１１１を入力した場合、図１２に示すように、該当のアンケートの回答結果を含んだ回答確認画面１２００を提供してよい。
【００６６】
回答確認画面１２００には、回答権限を有するアンケート参加メンバーリスト１２１０と共に、メンバー別にアンケートの回答有無を示す状態情報１２２０が含まれてよい。アンケート参加メンバーリスト１２１０は、名前などのような所定の基準にしたがって整列されてよく、回答有無（回答または未回答）にしたがって分類して照会する機能、名前やＩＤ、所属などのような多様な条件に基づいて検索する機能などが共に提供されてよい。
【００６７】
回答有無に応じてアンケート参加メンバーを回答者と未回答者とにフィルタリングすることはもちろん、具体的な図は省略したが、回答者が選択した選択項目に応じて回答者をフィルタリングすることも可能である。例えば、アンケート内容に対してＡ選択肢とＢ選択肢があるとき、回答者を、Ａ選択肢を選択した回答者グループとＢ選択肢を選択した回答者グループとに分類してよい。
【００６８】
図１３は、本発明の一実施形態における、後続課業進行過程を説明するための例を示した図である。
【００６９】
図１３を参照すると、サーバ１５０は、回答確認画面１２００などのように回答結果が含まれたインタフェース画面に、該当のアンケートと関連して後続課業を進めるためのメニュー画面１３１０を提供してよい。
【００７０】
メニュー画面１３１０には、未回答者に該当するメンバーに参加督励のための通知を発送するための「未回答者通知発送」メニューが含まれてよい。サーバ１５０は、「未回答者通知発送」メニューを利用したユーザの要請を受信した場合、アンケート参加メンバーのうちの未回答者にリマインド通知を発送してよい。このとき、未回答者全体あるいは未回答者のうちでユーザによって任意に選択されたメンバーを対象にリマインド通知を発送してよい。サーバ１５０は、「未回答者通知発送」メニューを利用した要請が、この他にもアンケートが進行された後に設定周期や設定時点に未回答者をフィルタリングしてリマインド通知を自動発送することも可能である。通知発送周期や時点は、ユーザによって事前設定されてもよいし、デフォルト値で定められてもよい。
【００７１】
メニュー画面１３１０には、回答者に該当するメンバーにアンケートと関連する後続コンテンツを伝達するためのメニューがさらに含まれてよい。後続コンテンツは、追加アンケート、お知らせ情報、スケジュール情報、イベント情報、特典情報（例えば、クーポンなど）、サービスページ情報（例えば、購入リンクなど）などを含んでよく、例えば、メニュー画面１３１０には、アンケートと関連するスケジュールをメッセージで発送するための「メッセージ送信」メニュー、アンケートと関連するスケジュールをメールで発送するための「メール送信」メニュー、回答者をアンケートと関連するスケジュールに登録するための「スケジュール招待」メニュー、追加アンケートを発送するための「追加アンケート進行」メニュー、アンケートと関連する商品の購入ページリンクを発送するための「購入リンク送信」メニュー、アンケートと関連するクーポンなどの特典情報を発送するための「クーポン送信」メニューなどが含まれてよい。
【００７２】
サーバ１５０は、メニュー画面１３１０で特定のメニューを利用したユーザ要請にしたがって回答者に後続コンテンツを発送してよいし、他の例として、アンケート進行中の設定時点、あるいはアンケートが完了した時点に事前に定められた後続コンテンツを自動発送することも可能である。後続コンテンツは、回答内容、すなわち、アンケート回答として選択可能な選択項目別に設定されてよく、サーバ１５０は、回答者に該当するメンバーを回答内容に基づいてグルーピングした後、各グループ別に該当の回答内容に対応する後続コンテンツを提供してよい。例えば、Ａ選択肢とＢ選択肢とで構成されたアンケートに対し、Ａ選択肢には追加アンケートが、Ｂ選択肢には購入リンクが設定された場合、Ａ選択肢を選択した回答者には追加アンケートを発送し、Ｂ選択肢を選択した回答者には購入リンクを発送してよい。このとき、回答者全体あるいは回答者のうちでユーザによって任意に選択されたメンバーを対象に後続コンテンツを提供してよい。
【００７３】
したがって、アンケート参加メンバーを回答者と未回答者とに区分し、未回答者にはリマインド通知を提供し、回答者には回答内容に対応するコンテンツを提供することができる。
【００７４】
このように、本発明の実施形態によると、アンケート参加メンバーの回答状態を確認して回答者と未回答者とをフィルタリングすることができ、未回答者を対象に参加督励通知を提供することにより、アンケート回答率を高めることができる。また、本発明の実施形態によると、アンケート参加メンバーの回答状態別に、各状態に対応する後続課業を進めることにより、アンケートと関連する一連の作業を連続的かつ容易に行うことができる。
【００７５】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して回答することができる様々な装置のように、１つ以上の汎用コンピュータまたは特殊目的コンピュータを利用して実現されてよい。処理装置は、オペレーティングシステム（ＯＳ）および前記ＯＳ上で実行される１つ以上のソフトウェアアプリケーションを実行してよい。また、処理装置は、ソフトウェアの実行に回答し、データにアクセスし、データを格納、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００７６】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ格納媒体または装置に具現化されてよい。ソフトウェアは、ネットワークによって接続されたコンピュータシステム上に分散され、分散された状態で格納されても実行されてもよい。ソフトウェアおよびデータは、１つ以上のコンピュータで読み取り可能な記録媒体に格納されてよい。
【００７７】
実施形態に係る方法は、多様なコンピュータ手段によって実行可能なプログラム命令の形態で実現されてコンピュータで読み取り可能な媒体に記録されてよい。このとき、媒体は、コンピュータで実行可能なプログラムを継続して格納するものであってもよいし、実行またはダウンロードのために臨時格納するものであってもよい。また、媒体は、単一または複数個のハードウェアが結合した形態の多様な記録手段または格納手段であってよいが、あるコンピュータシステムに直接接続される媒体に限定されるのではなく、ネットワーク上に分散して存在するものであってもよい。媒体の例としては、ハードディスク、フロッピー（登録商標）ディスク、および磁気テープのような磁気媒体、ＣＤ−ＲＯＭおよびＤＶＤのような光記録媒体、フロプティカルディスクのような光磁気媒体、およびＲＯＭ、ＲＡＭ、フラッシュメモリなどを含んでプログラム命令語が格納されるように構成されたものであってよい。また、他の媒体の例として、アプリケーションを流通するアプリストアや、その他の多様なソフトウェアを供給あるいは流通するサイト、サーバなどで管理する記録媒体あるいは格納媒体を挙げることもできる。
【００７８】
以上のように、実施形態を、限定された実施形態と図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００７９】
したがって、異なる実施形態であっても、特許請求の範囲と均等なものであれば、添付される特許請求の範囲に属する。
【符号の説明】
【００８０】
２２２：プロセッサ
３１０：登録部
３２０：実行部
３３０：提供部
【図１】
2019012511.tif 000003
【図２】
2019012511.tif 000004
【図３】
2019012511.tif 000005
【図４】
2019012511.tif 000006
【図５】
2019012511.tif 000007
【図６】
2019012511.tif 000008
【図７】
2019012511.tif 000009
【図８】
2019012511.tif 000010
【図９】
2019012511.tif 000011
【図１０】
2019012511.tif 000012
【図１１】
2019012511.tif 000013
【図１２】
2019012511.tif 000014
【図１３】
2019012511.tif 000015